(57)【要約】  【課題】カメラ本体の小型化のためアクシュ―を廃止し、代わりにマウントアダプタに設ける。あるいは、マウントアダプタを本体側面に回り込ませて、小型本体を把持しやすくする。マウント結合をはずすためレンズアダプタを回転させた時、本体と付属品がぶつかるのを防ぐ。あるいは、本体とマウントアダプタ側面部と本体の隙間を少なくしたり形状に自由度を持たせる。  【解決手段】アクシュ―に付属品装着、あるいは、本体側面に回り込んだマウントアダプタ側面部が本体近接時はロック解除操作をできなくして、マウントアダプタをはずせなくする。【選択図】図１（ａ）
2013217960.tif 000002
【特許請求の範囲】
【請求項１】
撮影アクセサリを取付可能な装着部を有し、光軸方向一端に交換レンズを装着可能なマウントアダプタ、及び、該マウントアダプタをカメラ本体マウント部に装着可能なレンズ交換式カメラシステムにおいて、マウントアダプタは、撮影アクセサリがマウントアダプタに装着されていることを検出する撮影アクセサリ検出手段と、撮影アクセサリ検出手段により撮影アクセサリ装着が検出されたことをカメラ本体へ通信する接続手段を有し、カメラ本体は、装着状態のマウントアダプタと本体マウントの係合をロックするロック手段と、ロック手段を制御する制御手段、及び、マウントアダプタとのロック手段解除操作部を有し、撮影アクセサリ検出手段がマウントアダプタに撮影アクセサリが装着されていることを検出したとき、カメラ本体の制御手段により制御されるロック手段解除操作を禁止する手段を有することを特徴とするカメラシステム。
【請求項２】
光軸方向一端に交換レンズを装着可能なマウントアダプタ、及び、該マウントアダプタをカメラ本体マウント部に装着可能なレンズ交換式カメラシステムにおいて、マウントアダプタはカメラ本体側面部に近接する側面構造部を変位可能に構成し、カメラ本体は、装着状態のマウントアダプタと本体マウントの係合をロックするロック手段と、ロック手段を制御する制御手段、及び、マウントアダプタのロック手段解除操作部と、カメラ本体に対してマウントアダプタの側面構造部が所定位置より近接していることを検出する検出手段を有し、該検出手段がカメラ本体に対してマウントアダプタの側面構造部が所定位置より近接していることを検出したとき、カメラ本体の制御手段により制御されるロック手段解除操作を禁止する手段を有することを特徴とするカメラシステム。
【請求項３】
撮影アクセサリを装着可能な装着部を有し、光軸方向一端に交換レンズを装着可能なマウントアダプタ、及び、該マウントアダプタをカメラ本体マウント部に装着可能なレンズ交換式カメラシステムにおいて、カメラ本体は、装着状態のマウントアダプタと本体マウントの係合をロックするロック手段と、ロック手段解除操作部を有し、マウントアダプタに撮影アクセサリが装着されている状態では、カメラ使用者が指でロック解除操作ができない位置にロック解除操作部を配置したことを特徴とするカメラシステム。
【請求項４】
光軸方向一端に交換レンズを装着可能なマウントアダプタ、及び、該マウントアダプタをカメラ本体マウント部に装着可能なレンズ交換式カメラシステムにおいて、マウントアダプタはカメラ本体側面部に近接する側面構造部を変位可能に構成し、カメラ本体は、装着状態のマウントアダプタと本体マウントの係合をロックするロック手段と、マウントアダプタのロック手段解除操作部と、マウントアダプタの側面構造部がカメラ本体側面部に近接した状態では、カメラ使用者が指でロック解除操作ができない位置にロック解除操作部を配置したことを特徴とするカメラシステム。
【発明の詳細な説明】
【技術分野】
【０００１】
本発明は、レンズ交換式カメラ本体と交換レンズの間に装着するマウントアダプタを装置可能としたカメラシステムに関するものである。
【背景技術】
【０００２】
レンズ交換式カメラにおいて、撮影範囲を確認する接眼ファインダーへ撮影光路を導くミラーをなくし、レンズと撮像センサーとの距離であるバックフォーカスを短くして交換レンズやカメラ本体の小型化を図った製品が商品化されている。
【０００３】
そのような製品では、従来のレンズ交換式カメラ用であるバックフォーカスが長い交換レンズは、焦点が結ばれる位置が異なるため使用できなかった。そのため、レンズ交換式カメラ本体と交換レンズの間に装着するマウントアダプタが提案されている（特許文献１参照）。これによりバックフォーカスの長い交換レンズでもマウントアダプタを介してカメラ本体に装着することで、焦点が結ばれる位置が一致し撮影可能となっている。
【先行技術文献】
【特許文献】
【０００４】
【特許文献１】国際公開2010/029697号
【発明の概要】
【発明が解決しようとする課題】
【０００５】
バックフォーカスを短くして小型化したカメラは、さらに小型化を追求すると、外部ストロボ装置や外部マイクなどを装着するためのアクシュ―を廃止することにより可能となる。しかしながら、外部ストロボ装置や外部マイクを装着できなくなることにより、機能拡張性が無くなり、カメラとしての魅力が半減してしまう。そこで、カメラの機能拡張性を維持するため、上述、マウントアダプタにアクシュ―を設けることが考えられている。
【０００６】
図１５(a)、図１５(b)は従来例であり、カメラ本体６１０にマウントアダプタ６２０と交換レンズ６３０を結合している。マウントアダプタ６２０は、カメラ本体６１０にバヨネット構造で結合することで、汎用性が得られている。マウントアダプタ６２０のアクシュ―に外部ストロボ装置６４０を取り付けた状態で、外部ストロボ装置６４０がカメラ本体６１０の前面より撮像センサー面側に位置している。マウントアダプタ６２０をカメラ本体６１０とのバヨネット結合をはずすために光軸を回転中心として回転させた時、図１５(a)、図１５(b)のＡ部ように、外部ストロボ装置６４０がカメラ本体６１０にぶつかってしまい、マウントアダプタ６２０をはずすために必要な回転角分回転させられず、カメラ本体６１０から外せなかったり、無理に回転させることでカメラ本体６１０を傷付けたり壊してしまうことがあった。
【０００７】
また、バックフォーカスを短くして小型化されたカメラは、小型化を追求したため、撮影時にカメラ本体を把持する部分も小さくなっている。そのため、カメラ本体の把持部分の少なさから、撮影時の安定性を保つのが困難であった。
【０００８】
それを改善するため、マウントアダプタにカメラ本体の前面から側面に延長されたグリップ部を設けることで、カメラ本体をしっかり把持でき、安定性を確保することが考えられている。
【０００９】
図１６(a)、図１６(b)はマウントアダプタにカメラ本体の前面から側面に延長されたグリップ部を設けた従来例であり、カメラ本体７１０にマウントアダプタ７２０と交換レンズ７３０を結合している。マウントアダプタ７２０にはカメラ本体７１０の前面から側面に延長されたグリップ部７２１が設けられ、撮影者がマウントアダプタ７２０とともにカメラ本体７１０を把持することで、安定性を確保している。
【００１０】
この場合、マウントアダプタ７２０は、カメラ本体７１０とのバヨネット結合をはずすために光軸を回転中心として回転させるので、カメラ本体７１０のグリップ側側面部の形状をマウントアダプタ７２０の回転軌跡に合わせたレンズ光軸中心からの円弧形状として、マウントアダプタ７２０とカメラ本体７１０の隙間を最小限としている。
【００１１】
また、図１７(a)、図１７(b)は、マウントアダプタにカメラ本体の前面から側面に延長されたグリップ部を設けた別の従来例であり、カメラ本体７４０にマウントアダプタ７２０と交換レンズ７３０を結合している。マウントアダプタ７２０にはカメラ本体７４０の前面から側面に延長されたグリップ部７２１が設けられ、撮影者がマウントアダプタ７２０とともにカメラ本体７４０を把持することで、安定性を確保している。
【００１２】
この場合、カメラ本体７４０は、小型化のため、グリップ側側面部の形状を略直方体形状としている。マウントアダプタ７２０はカメラ本体７４０とのバヨネット結合をはずすために光軸を回転中心として回転させるので、マウントアダプタ７２０のグリップ部７２１とカメラ本体７４０が干渉しない様にＢ部に大きな隙間を設けていた。
【００１３】
図１６(a)、図１６(b)、及び、図１７(a)、図１７(b)の従来例では、マウントアダプタをカメラ本体とのバヨネット結合をはずすための回転軌跡に干渉しないカメラ本体の外形としなければならず、カメラ本体の側面形状が制限されたり、不自然な隙間ができたりと、デザインが限定されてしまう、といった問題があった。
【課題を解決するための手段】
【００１４】
本発明の第１の特徴とするところは、撮影アクセサリを取付可能な装着部を有し、光軸方向一端に交換レンズを装着可能なマウントアダプタ、及び、該マウントアダプタをカメラ本体マウント部に装着可能なレンズ交換式カメラシステムにおいて、マウントアダプタは、撮影アクセサリがマウントアダプタに装着されていることを検出する撮影アクセサリ検出手段と、撮影アクセサリ検出手段により撮影アクセサリ装着が検出されたことをカメラ本体へ通信する接続手段を有し、カメラ本体は、装着状態のマウントアダプタと本体マウントの係合をロックするロック手段と、ロック手段を制御する制御手段、及び、マウントアダプタとのロック手段解除操作部を有し、撮影アクセサリ検出手段がマウントアダプタに撮影アクセサリが装着されていることを検出したとき、カメラ本体の制御手段により制御されるロック手段解除操作を禁止する手段を有することを特徴としている。
【００１５】
また、本発明の第２の特徴とするところは、光軸方向一端に交換レンズを装着可能なマウントアダプタ、及び、該マウントアダプタをカメラ本体マウント部に装着可能なレンズ交換式カメラシステムにおいて、マウントアダプタはカメラ本体側面部に近接する側面構造部を変位可能に構成し、カメラ本体は、装着状態のマウントアダプタと本体マウントの係合をロックするロック手段と、ロック手段を制御する制御手段、及び、マウントアダプタのロック手段解除操作部と、カメラ本体に対してマウントアダプタの側面構造部が所定位置より近接していることを検出する検出手段を有し、該検出手段がカメラ本体に対してマウントアダプタの側面構造部が所定位置より近接していることを検出したとき、カメラ本体の制御手段により制御されるロック手段解除操作を禁止する手段を有することを特徴としている。
【００１６】
また、本発明の第３の特徴とするところは、撮影アクセサリを装着可能な装着部を有し、光軸方向一端に交換レンズを装着可能なマウントアダプタ、及び、該マウントアダプタをカメラ本体マウント部に装着可能なレンズ交換式カメラシステムにおいて、カメラ本体は、装着状態のマウントアダプタと本体マウントの係合をロックするロック手段と、ロック手段解除操作部を有し、マウントアダプタに撮影アクセサリが装着されている状態では、カメラ使用者が指でロック解除操作ができない位置にロック解除操作部を配置したことを特徴としている。
【００１７】
また、本発明の第４の特徴とするところは、光軸方向一端に交換レンズを装着可能なマウントアダプタ、及び、該マウントアダプタをカメラ本体マウント部に装着可能なレンズ交換式カメラシステムにおいて、マウントアダプタはカメラ本体側面部に近接する側面構造部を変位可能に構成し、カメラ本体は、装着状態のマウントアダプタと本体マウントの係合をロックするロック手段と、マウントアダプタのロック手段解除操作部と、マウントアダプタの側面構造部がカメラ本体側面部に近接した状態では、カメラ使用者が指でロック解除操作ができない位置にロック解除操作部を配置したことを特徴としている。
【発明の効果】
【００１８】
本出願に係る第１の発明によれば、マウントアダプタに装着した外部ストロボなどのアクセサリをはずした状態で、マウントアダプタをはずすためのロック解除操作を可能とすることで、マウントアダプタを回転させた時に外部ストロボなどのアクセサリがカメラ本体に干渉することなく、カメラ本体を傷付けたり壊してしまうことを防止できる。
【００１９】
また、本出願に係る第２の発明によれば、カメラ本体側面部に近接した側面構造部をカメラ本体に対して退避した状態で、マウントアダプタをはずすためのロック解除操作を可能とすることで、マウントアダプタを装着状態で側面構造部をカメラ本体に近接させたり、レンズアダプタの側面構造部の隙間を最小限に減らすなど、本体デザインの自由度が得られる。
【００２０】
また、本出願に係る第３の発明によれば、マウントアダプタに装着した外部ストロボなどのアクセサリをはずした状態で、マウントアダプタをはずすためのロック解除操作を可能とすることで、マウントアダプタを回転させた時に外部ストロボなどのアクセサリがカメラ本体に干渉することなく、カメラ本体にキズが付くことを防止できるとともに、マウントアダプタをはずすためのロック解除動作禁止構造が不要となり、コストダウンも図れる。
【００２１】
また、本出願に係る第４の発明によれば、カメラ本体側面部に近接した側面構造部をカメラ本体に対して退避した状態で、マウントアダプタをはずすためのロック解除操作を可能とすることで、マウントアダプタの側面構造部をカメラ本体に近接させたり、マウントアダプタの側面構造部の隙間を最小限に減らすなど、本体デザインの自由度が得られるとともに、マウントアダプタをはずすためのロック解除動作禁止構造が不要となり、コストダウンも図れる。
【図面の簡単な説明】
【００２２】
【図１（ａ）】本発明の第１の実施形態によるカメラの第１の方向から見た展開斜視図
【図１（ｂ）】本発明の第１の実施形態によるカメラの第２の方向から見た展開斜視図
【図１（ｃ）】本発明の第１の実施形態によるカメラの第３の方向から見た展開斜視図
【図２】本発明の第１の実施形態による図１のカメラとマウントアダプタ、交換レンズをバヨネット構造で結合した斜視図
【図３】本発明の第１の実施形態による図２の結合状態での正面図
【図４（ａ）】本発明の第１の実施形態によるカメラとマウントアダプタのロック状態を示す図３のＸＸ部断面図
【図４（ｂ）】本発明の第１の実施形態によるカメラとマウントアダプタのロック解除禁止状態を示す図３のＸＸ部断面図
【図４（ｃ）】本発明の第１の実施形態によるカメラとマウントアダプタのロック解除状態を示す図３のＸＸ部断面図
【図４（ｄ）】本発明の第１の実施形態によるカメラとマウントアダプタの制御機構を説明する斜視図
【図５（ａ）】本発明の第１の実施形態によるカメラに対してマウントアダプタを回転させバヨネット結合をはずした状態を説明する正面図
【図５（ｂ）】本発明の第１の実施形態によるカメラからマウントアダプタをはずした状態を説明する斜視図
【図６（ａ）】本発明の第２の実施形態によるカメラの第１の方向から見た斜視図
【図６（ｂ）】本発明の第２の実施形態によるカメラの第２の方向から見た斜視図
【図７】本発明の第２の実施形態によるカメラのマウントアダプタのグリップ部を移動させた状態の斜視図
【図８（ａ）】本発明の第２の実施形態によるカメラのグリップ部の概略断面図
【図８（ｂ）】本発明の第２の実施形態によるカメラのグリップ部を移動した後の概略断面図
【図９（ａ）】本発明の第２の実施形態によるマウントアダプタをカメラ本体から離脱可能な位置まで回転させた状態を示す正面図
【図９（ｂ）】本発明の第２の実施形態によるマウントアダプタのバヨネット結合をはずした状態を説明する斜視図
【図１０】本発明の第３の実施形態による撮影機器であるカメラとマウントアダプタ、交換レンズをバヨネット結合した状態の斜視図
【図１１】本発明の第３の実施形態によるマウントアダプタのグリップ部を移動させた状態の斜視図
【図１２（ａ）】本発明の第３の実施形態によるカメラのマウントアダプタのグリップ部を移動させた時に露出する本体ロック解除ノブの操作前の状態を説明する断面図
【図１２（ｂ）】本発明の第３の実施形態によるカメラの本体ロック解除ノブの操作後の状態を説明する断面図
【図１３（ａ）】本発明の第４の実施形態によるカメラとマウントアダプタ、交換レンズが結合した状態の斜視図
【図１３（ｂ）】本発明の第４の実施形態によるマウントアダプタから外部ストロボをはずした状態の斜視図
【図１４（ａ）】本発明の第４の実施形態によるマウントアダプタにストロボ装置を装着した状態での、本体ロック解除ノブとの位置を示す断面図
【図１４（ｂ）】本発明の第４の実施形態によるマウントアダプタにストロボ装置をはずした状態での、本体ロック解除ノブとの位置を示す断面図
【図１５（ａ）】従来の撮カメラに外部ストロボを装着したままで、マウントアダプタをはずそうとした状態の正面図
【図１５（ｂ）】従来例のカメラに外部ストロボを装着したままで、マウントアダプタをはずそうとした状態の斜視図
【図１６（ａ）】他の従来例のカメラにグリップ部がついたマウントアダプタを装着した状態の斜視図
【図１６（ｂ）】他の従来例のカメラにグリップ部がついたマウントアダプタを、はずすために回転させた状態の斜視図
【図１７（ａ）】さらに他の従来例のカメラにグリップ部がついたマウントアダプタを装着した状態の斜視図
【図１７（ｂ）】さらに他の従来例のカメラにグリップ部がついたマウントアダプタを、はずすために回転させた状態の斜視図
【発明を実施するための形態】
【００２３】
＜第１の実施形態＞
図１〜図４は本発明の第１の実施形態を示す図で、図１(a)〜図１(c)は、レンズ交換式カメラ（以後、カメラ）を複数の方向から見た展開斜視図、図２は、図１(a)〜図１(c)のカメラとマウントアダプタ、交換レンズをバヨネット構造で結合した斜視図、図３は、図２の結合状態での正面図、図４(a)は、カメラとマウントアダプタのロック状態を示す図３のＸＸ部断面図、図４(b)は、カメラとマウントアダプタのロック解除禁止状態を示す図３のＸＸ部断面図、図４(c)は、カメラとマウントアダプタのロック解除状態を示す図３のＸＸ部断面図、図４(d)は、カメラとマウントアダプタの制御機構を説明する斜視図、図５(a)は、カメラに対してマウントアダプタを回転させバヨネット結合をはずした状態を説明する正面図、図５(b)は、カメラからマウントアダプタをはずした状態を説明する斜視図である。
【００２４】
図中、１はカメラ本体、２はカメラ本体に装着するマウントアダプタ、３は交換レンズ、４はカメラの撮影時に被写体にフラッシュ光を照射するストロボ装置である。カメラ本体１には、カメラ本体ロックピン１２が、本体カメラマウント１３に対して進退可能に設けられ、マウントアダプタ２をバヨネットで装着したとき、マウントアダプタ２の装着面のアダプタ凹部２６に係合し、カメラ本体１に対してマウントアダプタ２の回転を規制し、マウントアダプタ２が不用意に外れることを防止している。
【００２５】
カメラ本体ロックピン１２は本体カメラマウント１３に対して突出方向に付勢されており、本体ロック解除ボタン１１を操作することにより、カメラ本体１内にもぐりこむ方向に移動させることができる。カメラ本体１にはマウントアダプタ２と電気的な通信を行うカメラ本体接続端子１４、カメラ本体１の上面に設けられ撮影開始を行うトリガースイッチ１５、撮影レンズからの入射した被写体像を取り込む撮像センサー１６、カメラ本体１の主電源をオンオフするメインスイッチ１７、カメラ本体１の背面には撮像センサー１６によって撮像された被写体像を表示する表示部１８が設けられている。１９は、交換レンズ等を装着時にカメラ本体１と交換レンズ等の装着目印との回転方向の位相合わせのためのカメラ本体装着目印である。
【００２６】
マウントアダプタ２の前面側には、アダプタ側カメラマウント２０が設けられ、バックフォーカスが長く、カメラ本体１に直接装着することができない交換レンズ３を装着可能にしている。マウントアダプタ２の上面には、外部ストロボや、外部マイク等が装着可能なアクシュー部２１が設けられている。マウントアダプタ２には、アダプタ側カメラマウント２０に交換レンズ３をバヨネットで装着した状態で、交換レンズ３の装着面に設けられた不図示の凹部に係合して、交換レンズ３がマウントアダプタ２に対して回転を規制するマウントアダプタロックピン２２が設けられ不用意に外れることを防止している。マウントアダプタロックピン２２は、アダプタ側カメラマウント２０に対して突出方向に付勢されており、マウントアダプタロック解除ボタン２３を操作することによりマウントアダプタ２内にもぐりこむ方向に移動させることができる。
【００２７】
２４は、マウントアダプタ２を装着時にカメラ本体１と係合するアダプタ側レンズマウント係合部、２５は、カメラ本体接続端子１４と電気的接続を行うマウントアダプタ接続部、２７は、アクシュ―部の装着部に設けられたアクシュ―接続端子であり、外部ストロボ等のアクセサリをアクシュ―部２１に装着することで、アクセサリに設けられた接続端子と接触して電気的に接続される。２８は、マウントアダプタ２に対して交換レンズ３をバヨネット結合した場合に交換レンズ３と電気的な通信を行うアダプタ側接続端子である。２９はマウントアダプタ２をカメラ本体１にバヨネット装着する時、カメラ本体１側のカメラ本体目印１９と回転方向の位相合わせのための目印であるマウントアダプタ装着目印である。
【００２８】
交換レンズ３には、被写体面に対物レンズ３１、撮影される被写体像を光学的に拡大/縮小させるズームリング３２、撮影される被写体像の焦点を合わせるフォーカスリング３３が設けられている。３４は、交換レンズ３を、マウントアダプタ２に装着したときにアダプタ側接続端子２８と電気的接続を行うレンズ接続部、３５は、マウントアダプタ２への装着時に係合するレンズマウント係合部である。また、交換レンズ３のマウントアダプタ装着面側には、アダプタ側カメラマウント２０から突出したマウントアダプタロックピン２２が係合して交換レンズ３をマウントアダプタ２に対して回転規制するレンズ凹部が不図示であるが設けられている。
【００２９】
ストロボ装置４には、発光部４１、カメラ本体１のアクシュ―部２１に結合するアクシュ―結合部４２、ストロボ装置４をアクシュ―２２に装着した状態で、アクシュ―接続端子２７と接触して電気的導通が行われるストロボ接続端子４３が設けられており、ストロボ装置４をカメラ本体１の背面側から光軸方向にスライドしてアクシュー部２１に装着できる。
【００３０】
カメラ本体１に対してマウントアダプタ２、交換レンズ３、ストロボ装置４を結合した図２の状態にするには、まず、マウントアダプタ２のマウントアダプタ装着目印２９とカメラ本体１のカメラ本体装着目印１９の位置を合わせて、マウントアダプタ２をカメラ本体１の本体カメラマウント１３に装着する。この状態では、突出方向に付勢されたカメラ本体ロックピン１２は、アダプタ凹部２６の位置と一致していないため、マウントアダプタ２に押されて本体カメラマウント１３内にもぐりこむ。
【００３１】
マウントアダプタ２が本体カメラマウント１３に突き当たってところで、マウントアダプタ２を光軸中心で時計方向に所定の位置まで回転させると本体カメラマウント１３からもぐりこんだ状態の突出方向に付勢されたカメラ本体ロックピン１２がアダプタ凹部２６に入り込んで、マウントアダプタ２の回転が規制されて、バヨネット結合により装着状態となる。
【００３２】
交換レンズ３をマウントアダプタ２に装着する場合も、マウントアダプタ２をカメラ本体１に装着する場合と同様であり、不図示の交換レンズ３に付けられた装着目印を同じく不図示のマウントアダプタの装着目印と合わせて、交換レンズ３をマウントアダプタ２のアダプタレンズマウント２０に装着する。
【００３３】
この状態では、突出方向に付勢されたマウントアダプタロックピン２２は、不図示の交換レンズ凹部の位置と一致していないため、交換レンズ３に押されてアダプタ側カメラマウント２０内にもぐりこむ。
【００３４】
交換レンズ３がアダプタ側カメラマウント２０に突き当たったところで、交換レンズ３を光軸中心でＣＷ方向に所定の位置まで回転させるとアダプタ側カメラマウント２０からもぐりこんだ状態の突出方向に付勢されたマウントアダプタロックピン２２が不図示の交換レンズ凹部に入り込んで、交換レンズ３の回転が規制されて、バヨネット結合により装着状態となる。交換レンズ３は、マウントアダプタ２をカメラ本体１に装着する前にレンズアダプタ２に装着しておいても構わない。
【００３５】
ストロボ装置４が装着されていない状態で、マウントアダプタ２をカメラ本体１から取り外す手順を、図４(a)の本体ロック解除ボタン１１が押されていない状態から、図４(c)の本体ロック解除ボタン１１が押されている状態までの断面図を用いて説明する。まず、断面図で示された内部構成は、カメラ本体１の本体ロック解除ボタン１１とカシメ結合で一体に結合されたロック解除板１０１、本体解除ボタン付勢バネ１０２は、一端をロック解除板１０１に接し、他端をカメラ本体１内で固定されている解除ボタン側固定板１０３に接した状態で圧縮され、本体ロック解除ボタン１１をカメラ本体１から突出方向に付勢している。
【００３６】
１０４はカメラ本体ロックピン１２とカシメ結合で一体に結合された本体ロックピン板、１０５はカメラ本体ロックピン付勢バネで、一端を、本体ロックピン板１０４に接し、他端をカメラ本体１内で固定されているロックピン側固定板１０６に接した状態で圧縮されている。これにより、カメラ本体ロックピン１２は本体レンズマウント１３から突出方向に付勢され、マウントアダプタ２のアダプタ凹部２６と係合して、マウントアダプタ２をカメラ本体１に対して回転規制する。
【００３７】
１０７はモーターで回転軸にモータ―ギア１０８が固定されている。モーターギア１０８は、ラックギア１０９にかみ合っており、モーター１０７の回転により、ラックギア１０９をカメラ本体１の前面側へ移動させる。１１０は、ラックギア１０９を光軸方向のみに移動するようガイドするガイド板である。ラックギア１０９はカメラ本体１の背面側に移動した図４(a)の位置を通常の待機位置としている。
【００３８】
上記構成において、ストロボ装置４が装着されていない状態では、本体ロック解除ボタン１１を押し込むと、一体に結合されたロック解除板１０１が本体解除ボタン付勢バネ１０２を圧縮しながら移動する。ロック解除板１０１の曲げ部１０１aが本体ロックピン板１０４のカメラ本体ロックピン１２側の面に係合するため、本体ロックピン板１０４を一緒に移動させ、カメラ本体ロックピン１２はカメラ本体１内にもぐりこんでいく。そして、マウントアダプタ２のアダプタ凹部２６との係合から外れて、図４(c)の状態となり、マウントダプタ２はカメラ本体１に対して光軸を回転中心として回転可能となる。次に、図５(a)に示されるように、カメラ本体１に対してマウントアダプタ２を、装着状態から反時計方向に回転させることでマウントの係合が外れ、マウントアダプタ２をカメラ本体１から離脱することができる。マウントの係合をはずす回転軌跡中、ストロボ装置４は装着されていないため、カメラ本体１は何者とも干渉することはない。
【００３９】
同じ構成で、ストロボが装置されている場合を説明する。マウントアダプタ２は、ストロボ装置４が装着されていることを、ストロボ接続端子４３とアクシュ―接続端子２７の接続により検出し、検出された信号は、マウントアダプタ接続部２５、カメラ本体接続端子１４を介して、不図示のカメラ制御回路に入力される。ストロボ装置４が装着されていることを検出したカメラ制御回路は、モーター１０７を制御し、ラックギア１０９をカメラ本体１の前面側に移動させ、図４(b)の状態とする。
【００４０】
この状態で、本体ロック解除ボタン１１を押し込もうとすると、一体に結合されたロック解除板１０１の背面側にラックギア１０９の先端部１０９aが位置しているため押し込めない。すると、ロック解除板１０１により移動させられる本体ロックピン板１０４も移動することができないため、カメラ本体ロックピン１２とアダプタ凹部２６の係合が外れず、レンズアダプタ２はカメラ本体１に対して回転することができない。これにより、ストロボ装置４がマウントアダプタ２とともにカメラ本体１に対して回転することはないので、カメラ本体１とも干渉しない。
【００４１】
この状態から、ストロボ装置４がマウントアダプタ２からはずされると、不図示のカメラ制御回路がストロボ装置４がはずされたことを検出して、モーター１０７を制御し、ラックギア１０９をカメラ本体１の背面側に移動させ、図４(a)の状態になり、上述のように、レンズアダプタ２をカメラ本体１からはずすことができるようになる。
【００４２】
＜第２の実施形態＞
図６〜図９は本発明の第２の実施形態を示す図で、図６(a)、図６(b)は、それぞれ、カメラとマウントアダプタ、交換レンズをバヨネット結合した状態を異なる方向から見た斜視図、図７は、マウントアダプタのグリップ部を移動させた状態の斜視図、図８(a)は、カメラのグリップ部の概略断面図、図８(b)は、カメラのグリップ部を移動させた後の概略断面図、図９(a)は、マウントアダプタをカメラ本体から離脱可能な位置まで回転させた状態を示す正面図、図９(b)は、マウントアダプタをカメラ本体からはずした状態を示す斜視図である。第１の実施形態と同一構成部は、同一符号とする。
【００４３】
図中、カメラ本体１は、第１の実施形態と同様の構成であり、差異部分のみ説明する。１２０はフォトリフレクタ、１２１は、フォトリフレクタ１２０の赤外光をカメラ本体１の外部に放出する検出窓である。フォトリフレクタ１２０から投光される赤外光は検出窓１２１からカメラ本体１の外部に投光され、反射光を受光して対称物の有無を検出する。
【００４４】
５は、第１の実施形態と同様の機能を有するマウントアダプタで、第１の実施形態との差異部分のみ説明する。マウントアダプタ５には、カメラ本体１を右手で把持する側にカメラ本体１の側面に位置するグリップ部５１が配置されている。グリップ部５１のカメラ本体１側には反射面５２が配置され、図６(a)、図６(b)のようにカメラ本体１の側面部にグリップ部５１が近接したことを、カメラ本体１の検出窓１２１から投受光されるフォトリフレクタ１２０によって検出する。図８(a)、図８(b)でフォトリフレクタ１２０による検出を概略的に説明する。図８(a)は、グリップ部５１がカメラ本体１の側面に近接しており、カメラ本体１内のフォトリフレクタ１２０から投光された赤外光は検出窓１２１からカメラ本体１の外部に投光され、グリップ部５１の反射面５２に反射して、フォトリフレクタ１２０の受光部で受光し、グリップ部５１が近接していることを検出する。
【００４５】
図７のようにカメラ本体１の側面から前方方向にグリップ部５１が移動した状態では、図８(b)のように、カメラ本体１内のフォトリフレクタ１２０から投光された赤外光は検出窓１２１からカメラ本体１の外部に投光されるが、グリップ部５１が移動し反射面が無いため、反射光がフォトリフレクタ１２０の受光部に戻らない。それにより、グリップ部５１がカメラ本体１に近接していないと判断する。マウントアダプタ５とカメラ本体１との結合方法、及び、交換レンズ３との結合方法は、第１の実施形態と同様である。
【００４６】
また、交換レンズ３は、第１の実施形態と同一の構成である。
【００４７】
第１の実施形態と同様にカメラ本体１にマウントアダプタ５と交換レンズ３が装着され、、図６(a)、図６(b)のグリップ部５１が、カメラ本体１の側面部に近接した状態で、マウントアダプタ５を取り外そうとする場合を説明する。カメラ本体１を右手で把持する側の側面にグリップ部５１が位置していることをフォトリフレクタ１２０で検出するため、第１の実施形態の図４(b)と同様に、不図示のカメラ制御回路は、モーター１０７を制御し、ラックギア１０９をカメラ本体１の前面側に移動させ、本体ロック解除ボタン１１を押し込めなくする。それによって、カメラ本体ロックピン１２とマウントアダプタ５のアダプタ凹部の係合が外れず、マウントアダプタ５をカメラ本体１に対して回転させることができないため、マウントアダプタ５をカメラ本体１からはずすことはできない。
【００４８】
図７のグリップ部５１がカメラ本体１の側面から移動した状態で、マウントアダプタ５を取り外そうとする場合を説明する。カメラ本体１を右手で把持する側の側面にグリップ部５１が位置していないことをフォトリフレクタ１２０で検出するため、第１の実施形態の図４(a)と同様に、不図示のカメラ制御回路はモーター１０７を制御し、ラックギア１０９をカメラ本体１の背面側側に移動させ、本体ロック解除ボタン１１を押し込み可能となる。このとき本体ロック解除ボタン１１を押し込んで、第１の実施形態の図４(c)のように、カメラ本体ロックピン１２がカメラ本体１内にもぐりこんで、マウントアダプタ５のアダプタ凹部との係合から外れて、マウントアダプタ５はカメラ本体１に対して光軸を回転中心として回転可能となる。図９(a)、図９(b)に示されるように、カメラ本体１に対してマウントアダプタ５を、所定の角度まで回転させることでバヨネットの係合が外れ、レンズアダプタ２をはずすことができる。マウントの係合をはずす回転軌跡中、グリップ部５１はカメラ本体１の側面から移動しているため、カメラ本体１と干渉することはない。
【００４９】
＜第３の実施形態＞
図１０〜図１２は本発明の第３の実施形態を示す図で、図１０は、カメラとマウントアダプタ、交換レンズをバヨネット結合した状態の斜視図、図１１は、マウントアダプタのグリップ部を移動させた状態の斜視図、図１２(a)〜図１２(ｂ)は、マウントアダプタのグリップ部を移動させた時に露出する本体ロック解除ノブの操作前の状態と操作後の状態を説明する断面図である。第１の実施形態と同一構成部は、同一符号とする。
【００５０】
図中、６はカメラ本体である。カメラ本体６には、撮影者がカメラ本体６を把持する側の側面に、本体ロック解除ノブ６１が配置されており、マウントアダプタ７のグリップ部７１がカメラ本体６を把持する側の側面に近接した位置では、本体ロック解除ノブ６１を操作できない構成になっている。レンズアダプタ７のグリップ部７１がカメラ本体６を把持する側の側面に近接した位置から前方へ移動した状態で、カメラ使用者は本体ロック解除ノブ６１を操作可能となっている。そのほかの外観構成は、第２の実施形態と同様である。
【００５１】
７は、第１の実施形態と同様の機能を有するマウントアダプタで、第２の実施形態との差異部分のみ説明する。マウントアダプタ７には、カメラ本体１を右手で把持する側に、カメラ本体６の側面に位置するグリップ部７１が配置されている。グリップ部７１は、図１０のカメラ本体６の側面部に近接した状態から、図１１のカメラ本体６の側面から前方方向に移動した状態の間で変位する。第２の実施例との差異として、グリップ部７１の位置検出は行わず、グリップ部７１の位置によってカメラ本体６が使用不可となることはない。カメラ本体６との結合、及び、交換レンズ３との結合は、第１の実施形態と同様である。
【００５２】
また、交換レンズ３は、第１の実施形態と同一の構成である。
【００５３】
第２の実施形態と同様にカメラ本体６にマウントアダプタ７と交換レンズ３が装着され、図１１のグリップ部７１が移動した状態で、マウントアダプタ７を取り外す場合を説明する。本体ロック解除ノブ６１が外観表面に露出するため、カメラ本体６の背面側へ移動させることができる。
【００５４】
マウントアダプタ７をカメラ本体６から取り外す手順を、図１２(a)の本体ロック解除ノブ６１が操作されていない状態の断面図と、から、図１２(b)の本体ロック解除ノブ６１が操作された状態までの断面図を用いて説明する。
【００５５】
まず、断面図で示された内部構成は、カメラ本体６の本体ロック解除ノブ６１とカシメ結合によって一体に結合されたロック解除板６０１、本体ロック解除ノブ６１の結合部６１aとロック解除板６０１の結合部６０１bが結合されている。６０２は本体解除ノブ付勢バネで、一端をロック解除板６０１に接し、他端をカメラ本体６内で固定されている解除ノブ側固定板６０３に接した状態で圧縮されている。これにより、本体ロック解除ノブ６１をカメラ本体６の前方に付勢している。６０４はカメラ本体ロックピン１２をカシメ結合によって一体に結合された本体ロックピン板、６０５はカメラ本体ロックピン付勢バネで、一端を、本体ロックピン板６０４に接し、他端をカメラ本体６内で固定されているロックピン側固定板６０６に接した状態で圧縮されている。これにより、カメラ本体ロックピン１２は本体カメラマウント１３から突出方向に付勢され、マウントアダプタ７のアダプタ凹部７６と係合し、マウントアダプタ７はカメラ本体６に対して回転規制されている。
【００５６】
上記構成において、マウントアダプタ７のグリップ部７１がカメラ本体６を把持する側の側面に近接した位置から前方へ移動した図１１、図１２(a)状態では、本体ロック解除ノブ６１をカメラ使用者が指５００で操作することができ、本体ロック解除ノブ６１をカメラ本体背面側に移動させると、一体に結合されたロック解除板６０１が本体解除ノブ付勢バネ６０２を圧縮しながら移動する。ロック解除板６０１の曲げ部６０１aが本体ロックピン板６０４のカメラ本体ロックピン１２側の面に係合するため、本体ロックピン板６０４を一緒に移動させる。カメラ本体ロックピン１２がカメラ本体６内にもぐりこんでいくため、マウントアダプタ７のアダプタ凹部７６との係合から外れて、図１２(b)の状態となり、マウントアダプタ７はカメラ本体６に対して光軸を回転中心として回転可能となる。そして、カメラ本体６に対してマウントアダプタ７を、装着状態から反時計方向に回転させることでマウントの係合が外れ、レンズアダプタ７をカメラ本体１から離脱することができる。マウントの係合をはずす回転軌跡中、グリップ部５１はカメラ本体１を右手で把持する側から移動しているため、カメラ本体６と干渉することはない。
【００５７】
次に、マウントアダプタ７のグリップ部７１がカメラ本体６を把持する側の側面に近接した位置に移動した状態では、本体ロック解除ノブ６１は、グリップ部７１に隠れて操作できない。そのため、ロック解除板６０１と、ロック解除板６０１により移動させられる本体ロックピン板６０４も移動することができないので、カメラ本体ロックピン１２とアダプタ凹部７６の係合が外れず、マウントアダプタ７をカメラ本体６に対して回転させることができい。よって、グリップ部７１とカメラ本体６が干渉することはない。
【００５８】
＜第４の実施形態＞
図１３〜図１４は本発明の第４の実施形態を示す図で、図１３(a)は、カメラとマウントアダプタ、交換レンズが結合した状態の斜視図、図１３(b)は、マウントアダプタからストロボ装置をはずした状態の斜視図、図１４(a)は、マウントアダプタにストロボ装置を装着した状態での、本体ロック解除ノブの位置を示す断面図で、図１４(b)は、マウントアダプタにストロボ装置を取りはずした状態での、本体ロック解除ノブの位置を示す断面図である。第１の実施形態と同一構成部は、同一符号とする。
【００５９】
図中、カメラ本体８の上面に、本体ロック解除ノブ８１が配置されている。９は、マウントアダプタで、上面に外部ストロボや、外部マイク等が装着可能なアクシュー部９６が配置されている。９７は、アクシュ―部９６の装着部に設けられたアクシュ―接続端子で、外部ストロボ等のアクセサリをアクシュ―部９６に装着することで、アクセサリに設けられた接続端子と接触して電気的に接続される。ストロボ装置４をアクシュ―部９６に装着した状態では、図１４に示されるように、指５００が本体ロック解除ノブ８１に届かないため操作できない。マウントアダプタ９からストロボ装置４をはずすことで、本体ロック解除ノブ８１はカメラ使用者が操作可能となっている。そのほかの外観構成は、第１の実施形態と同様である。
【００６０】
また、交換レンズ３は、第１の実施形態と同一の構成である。
【００６１】
図１４(a)のストロボ装置４が装着されている状態では、本体ロック解除ノブ８１は、ストロボ装置４に上方をふさがれているため、カメラ使用者の指５００は、本体ロック解除ノブ８１を操作できない。そのため、カメラ本体ロックピン１２はアダプタ凹部９８との係合が外れず、マウントアダプタ９をカメラ本体８に対して回転させることができなくなっている。よって、ストロボ装置４とカメラ本体８も干渉することはない。
【００６２】
図１４(a)からストロボ装置４を取り外すと、図１３(b)、図１４(b)の状態となり、カメラ使用者の指５００で本体ロック解除ノブ８１が操作可能となる。本体ロック解除ノブ８１をカメラ本体６の背面側に操作すると、本体ロック解除ノブ係合部８１aとロック解除板８０１のノブ係合部８０１bが係合しているため、ロック解除板８０１が本体解除ノブ付勢バネ８０２を圧縮しながら移動する。そして、カメラ本体ロックピン付勢バネ８０５が、一端を本体ロックピン板８０４に接し、他端をカメラ本体８内で固定されているロックピン側固定板８０６に接した状態で圧縮されているため、本体レンズマウント１３から突出方向に付勢され、マウントアダプタ９のアダプタ凹部と係合している状態となっているカメラ本体ロックピン１２を、ロック解除板８０１の曲げ部８０１aが本体ロックピン板８０４のカメラ本体ロックピン１２側の面に係合して、本体ロックピン板８０４をロック解除板８０１と一緒に移動させるため、カメラ本体ロックピン１２はカメラ本体８内にもぐりこんでいく。マウントアダプタ９のアダプタ凹部９８との係合が外れると、マウントアダプタ９はカメラ本体８に対して光軸を回転中心として回転可能となる。カメラ本体８に対してマウントアダプタ９を、装置状態から反時計方向に回転させることでマウントの係合が外れ、マウントアダプタ９をカメラ本体８から離脱することができる。マウントの係合をはずす回転軌跡中、レンズアダプタ９にストロボ装置４は装着されていないため、カメラ本体８と干渉することはない。
【００６３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６４】
１、６、８‥‥カメラ本体
２、５、７、９‥‥マウントアダプタ
３‥‥交換レンズ
４‥‥ストロボ装置
１１‥‥本体ロック解除ボタン
１２‥‥カメラ本体ロックピン
１３‥‥本体カメラマウント
１４‥‥カメラ本体接続端子
２１‥‥アクシュー部
２４‥‥アダプタ側レンズマウント係合部
２５‥‥アダプタ接続部
２６‥‥アダプタ凹部
４２‥‥アクシュ―結合部
６１、８１‥‥本体ロック解除ノブ
【図１（ａ）】
2013217960.tif 000003
【図１（ｂ）】
2013217960.tif 000004
【図１（ｃ）】
2013217960.tif 000005
【図２】
2013217960.tif 000006
【図３】
2013217960.tif 000007
【図４（ａ）】
2013217960.tif 000008
【図４（ｂ）】
2013217960.tif 000009
【図４（ｃ）】
2013217960.tif 000010
【図４（ｄ）】
2013217960.tif 000011
【図５（ａ）】
2013217960.tif 000012
【図５（ｂ）】
2013217960.tif 000013
【図６（ａ）】
2013217960.tif 000014
【図６（ｂ）】
2013217960.tif 000015
【図７】
2013217960.tif 000016
【図８（ａ）】
2013217960.tif 000017
【図８（ｂ）】
2013217960.tif 000018
【図９（ａ）】
2013217960.tif 000019
【図９（ｂ）】
2013217960.tif 000020
【図１０】
2013217960.tif 000021
【図１１】
2013217960.tif 000022
【図１２（ａ）】
2013217960.tif 000023
【図１２（ｂ）】
2013217960.tif 000024
【図１３（ａ）】
2013217960.tif 000025
【図１３（ｂ）】
2013217960.tif 000026
【図１４（ａ）】
2013217960.tif 000027
【図１４（ｂ）】
2013217960.tif 000028
【図１５（ａ）】
2013217960.tif 000029
【図１５（ｂ）】
2013217960.tif 000030
【図１６（ａ）】
2013217960.tif 000031
【図１６（ｂ）】
2013217960.tif 000032
【図１７（ａ）】
2013217960.tif 000033
【図１７（ｂ）】
2013217960.tif 000034